(57)【要約】【課題】イチゴ容器の開口部における嵌合フランジの長さの大小、フランジ高さ、角隅部の円弧径の大小にかかわらず、そのいずれにも適用できる蓋部材とする。【解決手段】イチゴ容器Ｐの開口部の嵌合フランジＦを覆う容器嵌合部１０を有する蓋本体１において、容器嵌合部１０は、嵌合フランジＦを覆うよう蓋本体１の下面開口部縁に膨出したフランジ包覆部１１と、嵌合フランジＦの下縁に係合するようフランジ包覆部１１に窪ませた係合凹所１２と、係合凹所１２の上方に嵌合フランジＦを当接支持するよう区画形成したフランジ支持部１３とを備える。フランジ包覆部１１の包覆長さは嵌合フランジＦの最大の開口長さＬに比し、係合凹所１２の上方の支持高さは嵌合フランジＦの最大のフランジ高さＨに比しそれぞれ小さくはなく、フランジ包覆部１１の角隅部の円弧径は嵌合フランジＦの最小のフランジ円弧径Ｒに比し大きくはなくしてある。【選択図】図１
2020200070.tif 000002
【特許請求の範囲】
【請求項１】
平面から見てほぼ長方形状を呈するイチゴ容器の開口部を覆うイチゴ容器用蓋部材であって、このイチゴ容器用蓋部材の蓋本体は、イチゴ容器の開口部に形成されている嵌合フランジを覆う容器嵌合部を有し、この容器嵌合部は、嵌合フランジを覆うよう蓋本体の下面開口部縁に沿って外方に膨出されているフランジ包覆部と、このフランジ包覆部によって覆われた嵌合フランジの下縁に係合するようフランジ包覆部の内方に窪ませられている係合凹所と、係合凹所上で嵌合フランジを支持するようフランジ包覆部内に区画形成されているフランジ支持部とを備えて成ることを特徴とするイチゴ容器用蓋部材。
【請求項２】
係合凹所は、フランジ包覆部における角隅部の近傍に配置されている請求項１に記載のイチゴ容器用蓋部材。
【請求項３】
フランジ包覆部は、イチゴ容器の開口部の開口幅員に対応した包覆幅員、最大の開口長さに対応した包覆長さの下面開口部を有している請求項１または２に記載のイチゴ容器用蓋部材。
【請求項４】
係合凹所は、フランジ包覆部における側壁部の下縁から上壁部側に至るに伴い次第に蓋本体の内方に窪むように内向きに傾斜した案内傾斜縁と、この案内傾斜縁の上部から上方に至るに伴い折りし返されて外向きに傾斜した係合傾斜縁とからほぼ「く」字状を呈していて、蓋本体を嵌合フランジに被せたときには嵌合フランジの外側部分の外側面が係合凹所に当接しながらスライドし、嵌合フランジの下縁が係合傾斜縁の上部に係合支持されるようにしてある請求項１乃至３のいずれかに記載のイチゴ容器用蓋部材。
【請求項５】
フランジ包覆部の包覆長さは、イチゴ容器における開口部の最大の開口長さに比し小さくはないものとしてある請求項１乃至４のいずれかに記載のイチゴ容器用蓋部材。
【請求項６】
幅員方向に沿う係合凹所相互間の間隔は、イチゴ容器における開口部の最小の開口幅員に比し小さくはないものとしてある請求項１乃至５のいずれかに記載のイチゴ容器用蓋部材。
【請求項７】
フランジ支持部の支持高さは、イチゴ容器の嵌合フランジの最大のフランジ高さに比し小さくはないものとしてある請求項１乃至６のいずれかに記載のイチゴ容器用蓋部材。
【請求項８】
フランジ包覆部の角隅部の円弧径は、嵌合フランジの円弧状の角隅部における最小のフランジ円弧径に比し大きくはないものとしてある請求項１乃至７のいずれかに記載のイチゴ容器用蓋部材。
【発明の詳細な説明】
【技術分野】
【０００１】
本発明は、主としてイチゴを店頭にて販売する等に際し平面から見て長方形状の所定のイチゴ容器内に収納されて陳列されるとき、イチゴを収納するイチゴ容器に僅かにでも大小があったり、蓋との嵌合形態その他が異なっていたりしても、それらの相違のいずれにも対応して施蓋可能にすることで、収納したイチゴを保護できるようにした汎用性あるイチゴ容器用蓋部材に関する。
【背景技術】
【０００２】
従来からスーパーマーケットやコンビニエンスストア等でイチゴが販売されるとき、例えば合成樹脂製薄肉シートで成型されたイチゴ容器内に収納する場合、表面の傷等を防止するため揃えて並べられたり、他のイチゴと分離されて個別に仕切られたりして収納されている。また、平面から見て長方形状に形成された、いわゆるレギュラーパックと称されるイチゴ容器は、一般的には例えばこれを縦横で２個ずつ並べて収納する段ボール製の組立収納容器内に収納されることで産地から店頭まで運搬されている。
【０００３】
このような流通事情を鑑みて、イチゴ容器に収納されるイチゴ重量は例えば２５０〜３００ｇ程度のほぼ一定範囲内に収められるようにされ、またその容器形状も施蓋された形態においては所定の幅員、長さ、高さ等を有するほぼ直方体状に形成されている。
【０００４】
ただ、イチゴ自体は、近時は産地それぞれにおける品種改良等によってその種類も多く、また種類に応じてその粒大きさ、形状等が様々に異なるものとなっている。品種その他に対応して収納する個数、それによる重量、容器に収納する際の並べ方それぞれが異なることで、収納時の体裁が最も良く映えるようにそれぞれに対応したイチゴ容器が提案されている。その結果、イチゴ容器自体の幅員、長さ、高さ更には側壁の傾斜角度、補強のための開口部分における折り返し状の嵌合フランジ等が僅かにでも異なることになり、こうした相違に対応して蓋部材もイチゴ容器の開口部分にきっちりと嵌合される嵌合形状とすべく、それぞれに合わせて大小その他が全く異なる形態となっているのが実情である。
【０００５】
そのため、従来から色々なイチゴ容器及びこれに対応した蓋部材が提案されており、例えば特許文献１に示される青果物包装容器用被覆蓋、特許文献２に示されるイチゴ用容器、特許文献３に示される包装容器、特許文献４に示されるイチゴ容器用の蓋等がある。特許文献１の被覆蓋はイチゴ容器の開口を覆う合成樹脂フィルムの両端部付近に粘着剤帯を塗設して成る。特許文献２のイチゴ用容器は容器本体と蓋体とに収納するイチゴを個別に仕切るよう窪みと柱・突起を設けて成る。特許文献３の包装容器はカバーの下面開口の伸縮性フィルムシートの弾性で容器本体内に収納するイチゴの動きを抑止し、容器本体の底面にイチゴ等の動きを拘束する突起部を設けて成る。特許文献４の蓋は収納容器に嵌め合わせた蓋本体に空気流通部を形成し、嵌め合わせた収納容器の嵌合縁に空気流通の空隙を形成して成る。
【先行技術文献】
【特許文献】
【０００６】
【特許文献１】特開平１−１６７０５９号公報
【特許文献２】特開平８−１３３３６９号公報
【特許文献３】特開２０１０−１６８０８３号公報
【特許文献４】登録実用新案第３２０９４６２号公報
【発明の概要】
【発明が解決しようとする課題】
【０００７】
ところが特許文献１の被覆蓋は単なる薄肉状の合成樹脂フィルムであるから、容器本体の形状、大きさが異なっても使用できる反面、例えば複数個を店頭で購入した場合に積み重ねると下方の容器内のイチゴは潰され、商品価値が損なわれることになる。特許文献２の容器は個別にイチゴを保護できても、形状、大きさが異なればそれぞれに対応した窪み、柱・突起を各別に形成する必要があるから、複数種類の容器を用意する必要がある。特許文献３の包装容器における容器本体においても同様な問題が存する。特許文献４の蓋は容器内外の空気流通を図るにすぎず、異なる容器本体形状に対応可能とする汎用性ある蓋の嵌合形態とはなっていない。
【０００８】
そこで本発明は叙上のような従来存した諸事情に鑑み創出されたもので、産地、品種の様々な相違によって種々に形成されている、例えばレギュラーパックと称されているイチゴ容器のいずれにも施蓋できるようにし、イチゴ容器の開口部形状の僅かな大小の相違、補強等のために折り返し状に形成されている嵌合フランジ形態その他が異なっていても、異なるイチゴ容器毎に対応して各種の蓋部材を各別に形成用意する必要がなく、いずれのイチゴ容器にも対応できる汎用性あるイチゴ容器用蓋部材を提供することにある。
【課題を解決するための手段】
【０００９】
上述した課題を解決するため、本発明にあっては、平面から見てほぼ長方形状を呈するイチゴ容器Ｐの開口部を覆うイチゴ容器用蓋部材であって、このイチゴ容器用蓋部材の蓋本体１は、イチゴ容器Ｐの開口部に形成されている嵌合フランジＦを覆う容器嵌合部１０を有し、この容器嵌合部１０は、嵌合フランジＦを覆うよう蓋本体１の下面開口部縁に沿って外方に膨出されているフランジ包覆部１１と、このフランジ包覆部１１によって覆われた嵌合フランジＦの下縁に係合するようフランジ包覆部１１の内方に窪ませられている係合凹所１２と、係合凹所１２上で嵌合フランジＦを支持するようフランジ包覆部１１内に区画形成されているフランジ支持部１３とを備えて成ることを特徴とする。
係合凹所１２は、フランジ包覆部１１における角隅部の近傍に配置されて構成することができる。
フランジ包覆部１１は、イチゴ容器Ｐの開口部の開口幅員Ｗに対応した包覆幅員、最大の開口長さＬに対応した包覆長さの下面開口部を有して構成することができる。
係合凹所１２は、フランジ包覆部１１における側壁部１１Ｂの下縁から上壁部１１Ａ側に至るに伴い次第に蓋本体１の内方に窪むように内向きに傾斜した案内傾斜縁１２Ａと、この案内傾斜縁１２Ａの上部から上方に至るに伴い折りし返されて外向きに傾斜した係合傾斜縁１２Ｂとからほぼ「く」字状を呈していて、蓋本体１を嵌合フランジＦに被せたときには嵌合フランジＦの外側部分の外側面が係合凹所１２に当接しながらスライドし、嵌合フランジＦの下縁が係合凹所１２上に係合支持されるようにして構成することができる。
フランジ包覆部１１の包覆長さは、イチゴ容器Ｐにおける開口部の最大の開口長さＬに比し小さくはないものとして構成することができる。
幅員方向に沿う係合凹所１２相互間の間隔は、イチゴ容器Ｐにおける開口部の最小の開口幅員Ｗに比し小さくはないものとして構成することができる。
フランジ支持部１３の支持高さは、イチゴ容器Ｐの嵌合フランジＦの最大のフランジ高さＨに比し小さくはないものとして構成することができる。
フランジ包覆部１１の角隅部の円弧径は、嵌合フランジＦの円弧状の角隅部における最小のフランジ円弧径Ｒに比し大きくはないものとして構成することができる。
【００１０】
以上のように構成された本発明に係るイチゴ容器用蓋部材にあって、蓋本体１の容器嵌合部１０におけるフランジ包覆部１１の側壁部に設けられた係合凹所１２は、フランジ包覆部１１がイチゴ容器Ｐの嵌合フランジＦに被さることで嵌合フランジＦの下縁を係合支持して蓋本体１によってイチゴ容器Ｐを覆い、イチゴ容器Ｐに収納したイチゴＳを保護させる。
フランジ包覆部１１の角隅部近傍に配置した係合凹所１２は、イチゴ容器Ｐの嵌合フランジＦの角隅部を係合支持し、蓋本体１に生じ得る撓みによる係合支持の離反、脱落による影響を受けさせず、係合支持状態を維持させる。
フランジ包覆部１１における包覆長さは、イチゴ容器Ｐの開口部における最大の開口長さＬに比し小さくはないことで、種々のイチゴ容器Ｐにおける開口長さＬが異なる長短にかかわらず、蓋本体１でそれらを覆って被せさせる。
フランジ包覆部１１の係合凹所１２は、蓋本体１をイチゴ容器Ｐに被せたときの嵌合フランジＦの下縁を係合支持し、嵌合フランジＦの最大のフランジ高さＨに比し小さくはない支持高さのフランジ支持部１３によって、種々のイチゴ容器Ｐにおけるフランジ高さＨの高低にかかわらず、フランジ包覆部１１によって嵌合フランジＦを支持させる。
幅員方向に沿う係合凹所１２相互間がイチゴ容器Ｐにおける最小の開口幅員Ｗに比し小さくはないことで、イチゴ容器Ｐにおける幅員が相違していても嵌合フランジＦを係合支持してイチゴ容器Ｐに蓋本体１を被せさせる。
嵌合フランジＦの円弧状の角隅部における最小のフランジ円弧径Ｒに比し大きくはないフランジ包覆部１１の円弧径は、種々のイチゴ容器Ｐにおける円弧状の角隅部のフランジ円弧径Ｒの大小にかかわらず、イチゴ容器Ｐの角隅部をはみ出させることなく、これを覆った状態でイチゴ容器Ｐに被せさせる。
【発明の効果】
【００１１】
本発明は以上説明したように構成されているため、例えばイチゴの品種それぞれに応じて個別に形成されるイチゴ容器Ｐに対応してきっちりと嵌合対応されるように各別に蓋部材を形成することなく、本発明に係る蓋部材によって各種の開口形状が異なるイチゴ容器Ｐの嵌合フランジＦにしっくりと係合できる汎用性を得ることができる。
【００１２】
すなわちこれは本発明において、イチゴ容器Ｐの嵌合フランジＦを覆う容器嵌合部１０が、蓋本体１の下面開口部縁に沿って外方に膨出されているフランジ包覆部１１と、嵌合フランジＦの下縁に係合する係合凹所１２と、係合凹所１２上で嵌合フランジＦを支持するようフランジ包覆部１１内に区画形成されているフランジ支持部１３とを備えて成るからである。これによって、嵌合フランジＦにおける開口長さＬ、フランジ高さＨ等が異なる各種のイチゴ容器Ｐの開口部を汎用性ある蓋本体１によって覆うことができ、各別に異なる各種の蓋部材を用意する必要がない。
【００１３】
また、フランジ包覆部１１の角隅部の近傍に係合凹所１２を配置することで、イチゴ容器Ｐ自体更には蓋本体１自体の開口部に生じる内外方への撓みに影響されず、係合凹所１２による嵌合フランジＦを離脱、離反させることもない。
【００１４】
フランジ包覆部１１の包覆長さは、イチゴ容器Ｐの嵌合フランジＦにおける最大の開口長さＬに比し小さくはなく、幅員方向に沿う係合凹所１２相互間は最小の開口幅員に比し小さくはなく、またフランジ包覆部１１の支持高さは、嵌合フランジＦの最大のフランジ高さＨに比し小さくはなく、フランジ包覆部１１の角隅部の円弧径は、嵌合フランジＦの円弧状の角隅部における最小のフランジ円弧径Ｒに比し小さくはないものとしてあることで、種々のイチゴ容器Ｐにおける開口長さＬの長短、嵌合フランジＦにおけるフランジ高さＨの高低、角隅部におけるフランジ円弧径Ｒの相違等があっても、いずれのイチゴ容器Ｐにも適用でき、汎用性に優れるものである。
【００１５】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１６】
【図１】本発明を実施するための一形態を、施蓋適用される一例のイチゴ容器と共に示す斜視図である。
【図２】同じくイチゴ容器を施蓋した使用状態時の断面図である。
【図３】同じくイチゴ容器における開口フランジのフランジ高さが異なる場合に使用したときの要部拡大断面図である。
【図４】同じくイチゴ容器における開口長さの長さが異なる場合に使用したときの要部平面図である。
【図５】同じくイチゴ容器における開口フランジの角隅部が異なる場合に使用したときの要部拡大平面図である。
【発明を実施するための形態】
【００１７】
以下、図面を参照して本発明を実施するための一形態を説明すると、図において示される符号１は所定のイチゴ容器Ｐ、図示のように平面から見て長方形状を呈するいわゆるレギュラーバックと称されるイチゴ容器Ｐの開口部分を閉塞し、収納したイチゴＳを保護する蓋本体である。
【００１８】
イチゴ容器Ｐは、開口部の周縁に折り返し状にした補強用の嵌合フランジＦを形成することで、平面から見て角隅部が円弧状となって、所定深さを有するほぼ長方形状を呈している。このようなイチゴ容器Ｐの開口部に嵌め合わせられる蓋本体１は、イチゴ容器Ｐの開口部における短辺長さの開口幅員Ｗ、長辺長さの開口長さＬそれぞれに対応した包覆幅員、包覆長さを有する長方形状の下面開口部を備える。
【００１９】
イチゴ容器Ｐ及び蓋本体１は、いずれも合成樹脂製薄膜シート材を素材とする例えば真空成型等によって形成されるもので、イチゴ容器Ｐ自体は、一般的にこれを縦横方向それぞれで２個にして収納する段ボール製の組立収納容器（図示せず）内で仕切られている収納区画内に収納されるに適する幅員、長さに対応して形成されている。ところで、本発明者が従来から提供されている各種のイチゴ容器Ｐを収集し、検討したところ、開口幅員Ｗはほぼ１１１ｍｍ前後で、開口幅員Ｗの方側における相違の範囲は０．５〜２ｍｍ程度で殆ど差がないといえるほどであり、開口長さＬはほぼ１６５ｍｍ前後で、この開口長さＬにおける相違の範囲は１０ｍｍ前後であり、イチゴ容器Ｐの開口部に設けられた補強用の嵌合フランジＦにおける幅員では最大で１０ｍｍ前後、高さの相違の範囲は４〜１０ｍｍ程度であることが判明した。
【００２０】
そして、イチゴ容器Ｐ自体は、組立収納容器における収納区画内に収納されるに適するところとなればよく、例えばイチゴＳの品種の相違によるイチゴ容器Ｐ内での収納個数、収納形態に対応してほぼ一定の重量例えば２５０〜３００ｇの量目になり、また体裁が良好となるように収納区画それぞれに収納される範囲内で、嵌合フランジＦを含む開口幅員Ｗ、開口長さＬ等が適宜に変更選択されてイチゴ容器Ｐが形成されている。
【００２１】
なお、イチゴ容器Ｐに施蓋される蓋本体１は、収納したイチゴＳを保護するように上方に膨出しているドーム形状を呈していると共に、変更選択されているイチゴ容器Ｐの開口部にしっくりと嵌め合わせられるように形成されるのであり、本発明においては、適宜に変更選択されて種々に異なっているイチゴ容器Ｐの開口部に対応するように汎用性あるものとして構成される。
【００２２】
そのため、蓋本体１の下面開口部には、イチゴ容器Ｐの開口部を覆うよう、開口部としっくりと嵌合する容器嵌合部１０が形成されている。この容器嵌合部１０は、イチゴ容器Ｐの長方形状の開口部の外形に沿い、それぞれで異なるイチゴ容器Ｐの開口部の短辺側である最大の開口幅員Ｗ、長辺側である最大の開口長さＬに比しそれぞれ小さくはない包覆幅員、包覆長さを備えている長方形状の下面開口部となっている。こうすることで、一般的に提供されているイチゴ容器Ｐの開口部においては、最小の開口幅員Ｗ、最小の開口長さＬとして形成されている場合であると、包覆幅員、包覆長さ上での差は隙間となって、その隙間の差の間隔範囲内でイチゴ容器Ｐと蓋本体１との間でスライド移動する余裕を生じさせて係合支持するものとしてある。
【００２３】
容器嵌合部１０自体は、イチゴ容器Ｐにおける嵌合フランジＦを覆うよう蓋本体１の下面開口部縁に沿って外方に膨出されているフランジ包覆部１１と、このフランジ包覆部１１によって覆われた嵌合フランジＦの下縁に係合するようフランジ包覆部１１の内方に窪ませられている係合凹所１２と、係合凹所１２上で嵌合フランジＦを支持するよう嵌合フランジＦの最大のフランジ高さＨに比し小さくはない支持高さに設定されてフランジ包覆部１１内に区画形成されているフランジ支持部１３とを備える。
【００２４】
フランジ包覆部１１は、断面において、嵌合フランジＦにおける上縁面に沿う上壁部１１Ａと、折り返された外側部分の外側面に沿う側壁部１１Ｂとからほぼ「形を呈しており、蓋本体１の下面開口部の包覆幅員域、包覆長さ域更には隅角部を含む全域にわたって形成されている。
【００２５】
係合凹所１２は、フランジ包覆部１１によって嵌合フランジＦを覆ったとき、嵌合フランジＦにおける折り返し部分の外側部分の下端に係合するのであり、フランジ包覆部１１を嵌合フランジＦに被せるときに、係合凹所１２が嵌合フランジＦの外側部分に当接しながら乗り越えて下端に強制的に係合するようになっている。
【００２６】
この係合凹所１２の断面形は、フランジ包覆部１１における側壁部１１Ｂの下縁から上壁部１１Ａ側に至るに伴い次第に蓋本体１の内方に窪むように内向きに傾斜した案内傾斜縁１２Ａと、この案内傾斜縁１２Ａの上部から上方に至るに伴い折りし返されて外向きに傾斜した係合傾斜縁１２Ｂとからほぼ「く」字状を呈している。なお、係合凹所１２自体は、例えば真空成型時におけるアンダーカット処理によって形成される。
【００２７】
係合凹所１２の大きさ自体はフランジ包覆部１１の高さに対してほぼ２／５程度の高さに設定されていて、案内傾斜縁１２Ａと係合傾斜縁１２Ｂとの高さ比はほぼ４：１乃至３：１程度で、これらの間ではほぼ直角に折り返されている。こうすることで、係合傾斜縁１２Ｂの上部はフランジ包覆部１１の前記側壁部１１Ｂに連続しており、その連続部位では、下方にやや傾斜した段部となっていて、この段部上でイチゴ容器Ｐに被せられたときの嵌合フランジＦの下端を係合支持するものとしている。
【００２８】
なお、係合凹所１２における案内傾斜縁１２Ａ、係合傾斜縁１２Ｂそれぞれの形成比率は、上記の比率に限定されるものではなく、また蓋本体１内方への窪みの深さは嵌合フランジＦの下縁を係合するに足りる深さ幅となっていれば足りる。
【００２９】
そして、係合凹所１２上からフランジ包覆部１１の上壁部１１Ａに至る、フランジ包覆部１１の側壁部１１Ｂ部分の内方は前記のフランジ支持部１３となっている。このフランジ支持部１３自体の支持高さ、すなわち係合凹所１２における角部分の上面から上壁部１１Ａの内側面に至る高さ間隔は、イチゴ容器Ｐの嵌合フランジＦの最大のフランジ高さＨに比し小さく（低く）はないものとしてある。こうすることで、嵌合フランジＦ（Ｆ１）のフランジ高さＨが低いイチゴ容器（Ｐ１）であっても係合凹所１２に係合可能であり、イチゴ容器Ｐに対して蓋本体１が上下にスライド移動することがあっても蓋本体１がイチゴ容器Ｐから離反し、外れることもない（図３参照）。
【００３０】
なお、このフランジ支持部１３において、嵌合フランジＦを含むイチゴ容器Ｐ全体の開口幅員Ｗ、あるいはフランジ高さＨ等の相違によっては、嵌合フランジＦの下端は係合凹所１２における係合傾斜縁１２Ｂの上端、あるいは係合凹所１２における角部分上に位置することがあるも、いずれにしても係合傾斜縁１２Ｂ上のいずれかの部位に位置される。
【００３１】
係合凹所１２は、図示にあっては平面で長方形状を呈する蓋本体１の角隅部である四隅近傍の辺縁に設けられており、短辺の端部それぞれ、長辺の端部それぞれの計４箇所に設けられるも、これに限らず、各辺縁のほぼ中央部あるいはイチゴ容器Ｐと確実に係合される位置、数として適箇所に設けられる。係合凹所１２が角隅部の近傍に配置されることで、イチゴ容器Ｐ自体あるいは蓋本体１自体の開口部に生じる撓みによって内方あるいは外方への位置ズレによる係合状態の離脱、離反が防止されるように配慮する。
【００３２】
なお、左右方向に沿う係合凹所１２相互間の間隔、すなわち係合傾斜縁１２Ｂの上端相互間の間隔は、イチゴ容器Ｐにおける、嵌合フランジＦを含む短辺側の開口幅員Ｗの間隔（長さ）にほぼ対応している。これは、前記したように、本発明に係る蓋部材が対象可能なイチゴ容器Ｐとして検討した殆どのものが僅かな相違があってもほぼ同幅員であったことで対処可能であるからである（図４参照）。しかしながら、イチゴ容器Ｐ全体の開口幅員Ｗが係合傾斜縁１２Ｂの上端相互間の間隔に比しやや大きくても、その差は僅かであるから強制的にでも嵌め合わせることで対応可能である。
【００３３】
また、この左右方向に直交する前後方向に沿う係合凹所１２における係合傾斜縁１２Ｂの上端相互間の間隔は、イチゴ容器Ｐにおける最大の開口長さＬに比し小さくはない包覆長さにしてある。こうすることで、最大の開口長さＬを有するイチゴ容器Ｐよりも短い開口長さＬを有するイチゴ容器（Ｐ１）である場合は、左右方向に沿う係合凹所１２によって係合した状態で前後方向にスライド移動を可能としても、イチゴ容器（Ｐ１）に対する蓋本体１の施蓋状態は維持可能であるからである（図４参照）。しかしながら、イチゴ容器Ｐ全体の開口長さＬが係合傾斜縁１２Ｂの上端相互間の間隔に比しやや大きくても、その差は僅かであるから強制的にでも嵌め合わせることで対応可能であり、小さくはない長さとは、このような場合も含むのである。
【００３４】
また、蓋本体１における角隅部の四隅は、平面から見て円弧状に形成されており、イチゴ容器Ｐに蓋本体１を被せたときに、イチゴ容器Ｐにおける同じく円弧状の四隅の角部分がはみ出すことなく収納されるようにしてある。そのため、蓋本体１の四隅の角部分における円弧径は、イチゴ容器Ｐのフランジ円弧径Ｒに比し小さく形成されており、イチゴ容器Ｐにおける円弧状角部の最小のフランジ円弧径Ｒに比し大きくはない円弧径に設定されている。こうすることで、角隅部のフランジ円弧径Ｒが大きいイチゴ容器Ｐであっても小さいイチゴ容器（Ｐ１）であっても、いずれの嵌合フランジＦ，（Ｆ１）をも蓋本体１の角隅部で覆うことができる（図５参照）。
【００３５】
なお、図中符号２は、イチゴ容器Ｐに蓋本体１を被せたときの容器内外の空気流通を図るために蓋本体１の側壁の下部に窪み状に形成した空気流通部であり、３は、蓋本体１の側壁を補強する複数条の溝状の補強部である。
【００３６】
次にこれの使用の一例を説明すると、イチゴＳを収納した所定のイチゴ容器Ｐの開口部に蓋本体１によって被せればよく、フランジ包覆部１１ではイチゴ容器Ｐの嵌合フランジＦの外側部分の外側面に係合凹所１２の案内傾斜縁１２Ａが当接し、当接しながら嵌合フランジＦを乗り越えることで係合凹所１２の上部が嵌合フランジＦの下縁に係合し、嵌合フランジＦをフランジ包覆部１１内で位置決めし、これによって蓋本体１がイチゴ容器Ｐを覆うこととなる。
【００３７】
嵌合フランジＦのフランジ高さＨが異なる場合、最大のフランジ高さＨを有するイチゴ容器（Ｐ２）では嵌合フランジ（Ｆ２）をフランジ支持部１３の全域で支持し、フランジ高さＨが低いイチゴ容器（Ｐ１）では例えば蓋本体１にて持ち上げたときにフランジ支持部１３内で嵌合フランジ（Ｆ１）が上下に移動することがあっても、係合凹所１２の上部が嵌合フランジ（Ｆ１）に係合することで、イチゴ容器Ｐから蓋本体１が外れることはない（図３参照）。
【００３８】
イチゴ容器Ｐにおける開口幅員Ｗが小さい場合、嵌合フランジＦ２の下端は、係合凹所１２における内側の角部分に係合して嵌合フランジＦ２がフランジ支持部１３に位置決めされることで、蓋本体１はイチゴ容器Ｐの開口部分を覆い、イチゴ容器Ｐからが外れることはない（同じく図３参照）。
【００３９】
また、イチゴ容器Ｐの開口長さＬが異なる場合、最大の開口長さＬを有するイチゴ容器Ｐでは蓋本体１におけるフランジ包覆部１１の包覆長さの全域で、係合凹所１２に係合支持された嵌合フランジＦ１を支持する。開口長さＬが短いイチゴ容器（Ｐ１）では、長さ方向できっちりと嵌め合わせられなくて、いわゆる遊び・余裕が生じてスライド移動することがあっても、係合凹所１２で支持されていることで、蓋本体１はイチゴ容器（Ｐ１）から外れることがない（図４参照）。
【００４０】
イチゴ容器Ｐの角隅部の円弧状部分において、そのフランジ円弧径Ｒが異なる場合は、最小のフランジ円弧径Ｒを有するイチゴ容器（Ｐ１）では、蓋本体１の角隅部の内側縁に近接するも蓋本体１の外方にイチゴ容器（Ｐ１）の角隅部が出張ることはなく、またフランジ円弧径Ｒが大きいイチゴ容器Ｐの角隅部では蓋本体１の角隅部の内側からやや離れて位置されることでも、蓋本体１はイチゴ容器Ｐから外れることはない（図５参照）。
【符号の説明】
【００４１】
Ｐ，Ｐ１，Ｐ２…イチゴ容器
Ｆ，Ｆ１，Ｆ２…嵌合フランジ
Ｓ…イチゴ
Ｈ…フランジ高さ
Ｌ…開口長さ
Ｒ…フランジ円弧径
Ｗ…開口幅員
１…蓋本体
２…空気流通部
３…補強部
１０…容器嵌合部
１１…フランジ包覆部
１１Ａ…上壁部
１１Ｂ…側壁部
１２…係合凹所
１２Ａ…案内傾斜縁
１２Ｂ…係合傾斜縁
１３…フランジ支持部
【図１】
2020200070.tif 000003
【図２】
2020200070.tif 000004
【図３】
2020200070.tif 000005
【図４】
2020200070.tif 000006
【図５】
2020200070.tif 000007